(57)【特許請求の範囲】
【請求項１】
対設した主板（１）と従板（２）の側端を支軸（３）を介して回動自在に連結し、該支軸（３）巾中央に軸支したネジ棒（４）と、該ネジ棒（４）に設けたＭ字状板（５）と、該Ｍ字状板（５）より放射方向に、主、従板（１，２）の四隅部へ連結した紐（８）と、主、従板（１，２）に内設された傘骨（９）と、該傘骨（９）の先端に設けた係止片（１４）と、該係止片（１４）に切れ目状の孔（１５）を着脱自在に掛止する傘布（１０）と、従板（２）の側端に設けた取っ手（１９）とから構成されたカバン取付式傘において、開時には、Ｍ字状板（５）を、該Ｍ字状板（５）の貫通孔（２１）を貫設したネジ棒（４）を中心に水平回動させながら、連動して水平方向に回動した主、従板（１，２）の上部にまたがるように、Ｍ字状板（５）左右下端部を着接させ、該Ｍ字状板（５）の上部に設けたコイルスプリング（６）の押圧により主、従板（１、２）を共に水平保持し、閉時には、Ｍ字状板（５）を、該Ｍ字状板（５）の貫通孔（２１）を貫設したネジ棒（４）を中心に水平回動させながら、連動して主板（１）と、該主板（１）に直角に対向するように従板（２）を回動させ、該主板（１）と従板（２）の間にはさまるようにＭ字状板（５）をおさめる事を特徴とするカバン取付式傘。
【請求項２】
前記主板（１）と従板（２）は同四角状板で連結した主、従板（１、２）中央より四囲側面へ放射方向の凹状の穴（１８）を設け、該凹状の穴（１８）中央部に水平方向に出入り自在に傘骨（９）を設けて構成されることを特徴と請求項１記載のカバン取付式傘。
【請求項３】
前記Ｍ字状板（５）は、該Ｍ字状板（５）中心を縦貫する貫通孔（２１）と左右縁端に設けた孔（２０）とからなり、貫通孔（２１）に貫設したネジ棒（４）を中心に水平方向に３６０度回動することを特徴と請求項１又は２記載のカバン取付式傘。
【請求項４】
前記係止片（１４）は水平の円形状板の中心に下向の軸を固着したＴ字状を形成し、該係止片（１４）を傘骨（９）先端上部にＴ字状に直立固着することを特徴と請求項１、２又は３記載のカバン取付式傘。
【請求項５】
前記傘布（１０）は円形状布の周縁付近に中心より放射方向の切れ目状の孔（１５）を略等配してなり、該切れ目状の孔（１５）を前記の係止片（１４）に着脱自在に掛止することを特徴と請求項１、２，３又は４記載のカバン取付式傘。
【発明の詳細な説明】
【技術分野】
【０００１】  本発明は常時、カバン側面に取付けられたカバン取付式傘の提供に関する。
【背景技術】
【０００２】  一般的に、雨時に杖状の長さの傘を持ち歩くか、折りたたみ傘がもちいられていた。
【発明の概要】
【発明が解決しようとする課題】
【０００３】  これは、次のような欠点があった。
（イ）杖状の長さの傘も、折りたたみ傘も、雨時にさした傘を雨あがり時に直接手で          持運ぶため、無意識に置忘れてしまい、毎年大量に発生する課題がある。
（ロ）天気の変動に伴い、雨上り後には、一方の手で傘をもち、他方の手でカバンを          もち、両手がふさがった状態で買物等をする為、傘から手を離すこと多くなり          、無意識に傘を置き忘れてしまう課題がある。
（ハ）従来の一般的な傘は、傘の中心軸で保持するため、一般的に風圧に弱い課題が          ある。
（ニ）骨が細長いため、風圧により逆側に反り返り、壊れやすい課題がある。
【課題を解決するための手段】
【０００４】  上記目的達成するため本発明は、対設した主板（１）と従板（２）の側端を支軸（３）を介して回動自在に連結し、該支軸（３）巾中央に軸支したネジ棒（４）と、該ネジ棒（４）に設けたＭ字状板（５）と、該Ｍ字状板（５）より放射方向に、主、従板（１，２）の四隅部へ連結した紐（８）と、主、従板（１，２）に内設された傘骨（９）と、該傘骨（９）の先端に設けた係止片（１４）と、該係止片（１４）に切れ目状の孔（１５）を着脱自在に掛止する傘布（１０）と、従板（２）の側端に設けた取っ手（１９）とから構成されたカバン取付式傘において、開時には、Ｍ字状板（５）を、該Ｍ字状板（５）の貫通孔（２１）を貫設したネジ棒（４）を中心に水平回動させながら、連動して水平方向に回動した主、従板（１，２）の上部にまたがるように、Ｍ字状板（５）左右下端部を着接させ、該Ｍ字状板（５）の上部に設けたコイルスプリング（６）の押圧により主、従板（１、２）を共に水平保持し、閉時には、Ｍ字状板（５）を、該Ｍ字状板（５）の貫通孔（２１）を貫設したネジ棒（４）を中心に水平回動させながら、連動して主板（１）と、該主板（１）に直角に対向するように従板（２）を回動させ、該主板（１）と従板（２）の間にはさまるようにＭ字状板（５）をおさめる事を特徴とするカバン取付式傘を供することを目的とする。【０００５】  この際、上記主板（１）と従板（２）は同四角状板で連結した主従板（１、２）中央より四囲側面へ放射方向の凹状の穴（１８）を設け、該凹状の穴（１８）中央部に水平方向に出入り自在に傘骨（９）を設けて構成される事が考えられる。【０００６】  また、上記Ｍ字状板（５）は、該Ｍ字状板（５）中心を縦貫する貫通孔（２１）と左右縁端に設けた孔（２０）とからなり、貫通孔（２１）に貫設したネジ棒（４）を中心に水平方向に３６０度回動する事が考えられる。【０００７】  また、上記係止片（１４）は水平の円形状板の中心に下向の軸を固着したＴ字状を形成し、該係止片（１４）を傘骨（９）先端上部にＴ字状に直立固着する事が考えられる。【０００８】  また、上記傘布（１０）は円形状布の周縁付近に中心より放射方向の切れ目状の孔（１５）を略等配してなり、該切れ目状の孔（１５）を前記の係止片（１４）に着脱自在に掛止する事が考えられる。
【発明の効果】
【０００９】  本発明のカバン取付式傘は、カバンの側面に取付けて共に持ち運ぶため、両手がふさがらない効果がある。また、カバンの側面に取付けて共に持ち運ぶため、傘の置忘れがない効果がある。また、本発明のカバン取付式傘は両手と、頭上部の３点で支持するため、風圧に強く耐え、安定している。また、傘骨の長さが従来の傘骨の約半分になり、こわれにくい効果がある。
【図面の簡単な説明】
【００１０】
【図１】  本発明のカバン取付式傘の開いた状態を示す、一部切り欠いた全体平面参考図である。
【図２】  図１のＡ−Ａ断面図である。
【図３】  本発明のカバン取付式傘の、傘布（１０）を分離し、突出した傘骨（８）を連結した主、従板（１、２）内にもどした状態を示す、一部切り欠いた連結した主、従板（１、２）の平面参考図である。
【図４】  図３のＢ−Ｂ断面図である。
【図５】  図３のＣ−Ｃ断面図である。
【図６】  主板（１）と、該主板（１）に直角に対向するように従板（２）を支軸（３）を介して回動させた右側面図。
【図７】  図６のＤ−Ｄ矢視図である。
【図８】  図６のＥ−Ｅ矢視図である。
【図９】  係止片（１４）部拡大平面参考図である。
【図１０】  図９のＦ−Ｆ断面図である。
【図１１】  傘布（１０）平面参考図である。
【図１２】  図１１のＧ−Ｇ断面図である。
【図１３】  本発明のカバン取付式傘を一部切り欠いた使用状態を示す参考図である。
【図１４】  本発明のカバン取付式傘の使用後に持運ぶ状態を示す参考図である。
【図１５】  本発明のカバン取付式傘の開いた状態を示す、全体斜視参考図である。
【発明を実施するための形態】
【００１１】  次に、実施の形態を示す図面に基づき本発明によるカバン取付式傘をさらに詳しく説明する。図１乃至図８において、本発明のカバン取付式傘は、対設した主板（１）と、従板（２）の側端を支軸（３）を介して回動自在に連結し、該支軸（３）巾中央に軸支したネジ棒（４）と、該ネジ棒（４）に設けたＭ字状板（５）と、該Ｍ字状板（５）より放射方向に、主、従板（１、２）の四隅部へ連結した紐（８）と、主、従板（１，２）に内設された傘骨（９）と、該傘骨（９）の先端に設けた係止片（１４）と、該係止片（１４）に切れ目状の孔（１５）を着脱自在に掛止する傘布（１０）と、従板（２）の側端に設けた取っ手（１９）とから構成され、そして、主板（１）と、該主板（１）に直角に対向するように回動させた従板（２）とを共に、包袋（１２）内に収装し、カバン（１６）側面部にネジ（１７）で取付ける。
【００１２】  即ち、上記の主板（１）と従板（２）は、四角状板で、連結した主、従板（１、２）中央より、四囲側面へ放射方向の凹状の穴（１８）を設け、該凹状の穴（１８）中央部に、水平方向に出入り自在に傘骨（９）を設けて構成される。そして、凹状の穴（１８）の出入口付近に傘骨（９）を係止しするストッパー（１３）を設け、従板（２）縁端に左と右の手で握る取っ手（１９）を設ける。
【００１３】  そして、上記Ｍ字状板（５）は、該Ｍ字状板（５）中心を縦貫する貫通孔（２１）と、左右縁端に設けた孔（２０）とからなり、本発明のカバン取付式傘の開時は、Ｍ字状板（５）の貫通孔（２１）に貫設したネジ棒（４）を中心に水平方向に回動させながら、連動して水平方向に回動した主、従板（１、２）上部にまたがるようにＭ字状板（５）左右下端部を着接させ、該Ｍ字状板（５）の上部に設けたコイルスプリング（６）の押圧により主、従板（１、２）を共に水平保持し、さらにＭ字状板（５）の左右縁端より放射方向に、主、従板（１、２）の四隅部へ連結した紐（８）で、主、従板（１、２）の水平をより安定させ、傘の雨勾配も形成する。そして、本発明のカバン取付式傘の閉時は、Ｍ字状板（５）の貫通孔（２１）に貫設したネジ棒（４）を中心に水平方向に回動させながら、連動して主板（１）と、該主板（１）に直角に対向するように従板（２）を回動させ、主板（１）と従板（２）の間にはさまるようにＭ字状板（５）を、おさめる。
【００１４】  図９及び図１０において、係止片（１４）は、水平の円形状板の中心に下向の軸を固着したＴ字状を形成し、該係止片（１４）を傘骨（９）先端上部にＴ字状に直立固着し、係止片（１４）に傘布（１０）の切れ目状の孔（１５）を着脱自在に掛止する。
【００１５】  図１１及び図１２において、傘布（１０）は、円形状布の中心に逆Ｕ字形状の凸起部を形成し、傘布（１０）の周縁付近に中心より放射方向の切れ目状の孔（１５）を略等配している。そして、前記の逆Ｕ字形状の凸起部に、ネジ棒（４）の先端に固設したキャップ（７）が挿入され、傘布（１０）の円形状布の中心を保持し、キャップ（７）を中心に３６０度水平方向に回動し、前記の係止片（１４）位置にあわせて傘布（１０）の切れ目状の孔（１５）に移動可能にし、容易に切れ目状の孔（１５）の位置調整ができ、係止片（１４）に着脱自在に掛止できる。
【００１６】  次に、図１３並びに図１４を参照にして、作用と効果を説明する。まず、本発明のカバン取付式傘は、両手と、カバン（１６）側面を頭の上部にのせ、３点で支持する。
即ち、従来の一般的な傘は、開いた傘の中心にある軸で保持するため、多方向からの風圧に対して不安定になり、逆側に反り返る状態になりやすい欠点がある。
本発明のカバン取付傘は、傘骨長さが従来の傘骨長さが約半分になり、風圧に対して強く、逆側に反り返る状態になりにくい効果がある。また、日常的に無意識にカバン（１６）側面に取付けて持ち運ぶため、急雨時に対応でき、傘の置忘れが防止できる。また、使用後は、傘布（１０）を分離し、ポケット（１１）に収納することが出来る。また、断続的に使用する場合は、傘骨（９）を主、従板（１、２）の凹状の穴（１８）にもどし、傘布（１０）を分離しないで、主板（１）と、該主板（１）に直角に対向するように回動させた従板（２）との間に挟み  そして、帯片（２２）を帯片止板（２３）に着脱自在に取付け、包袋（１２）内に収装し、カバン側面にネジ（１７）で取付ける。
【００１７】  次に、図１５の本発明の本発明のカバン取付式傘の開いた状態を示す、全体斜視参考図を参照にして、作用と効果を説明する。即ち、従来の傘は、細長い骨を介して全体構成されているのに対して、本発明のカバン取付式傘は、連結された主、従板（１，２）を中央に設け、該主、従板（１，２）に内設された従来の傘骨の約半分長さになる傘骨（９）を、四囲側面より、放射方向に突出させた強い構成になっている。
【符号の説明】
【００１８】  １主板  ２従板  ３支軸  ４ネジ棒  ５Ｍ字状板  ６コイルスプリング  ７キャツプ
８紐  ９傘骨  １０傘布  １１ポケット  １２包袋  １３ストッパー  １４係止片
１５切れ目状の孔  １６カバン  １７ネジ  １８凹状の穴  １９取っ手  ２０孔
２１貫通孔  ２２帯片  ２３帯片止板
【図１】
0005249291.tif 000002
【図２】
0005249291.tif 000003
【図３】
0005249291.tif 000004
【図４】
0005249291.tif 000005
【図５】
0005249291.tif 000006
【図６】
0005249291.tif 000007
【図７】
0005249291.tif 000008
【図８】
0005249291.tif 000009
【図９】
0005249291.tif 000010
【図１０】
0005249291.tif 000011
【図１１】
0005249291.tif 000012
【図１２】
0005249291.tif 000013
【図１３】
0005249291.tif 000014
【図１４】
0005249291.tif 000015
【図１５】
0005249291.tif 000016